(57)【要約】【課題】本発明は、小型で測定精度の高い血流センサを提供することを課題とする。【解決手段】上記課題を解決するため、本発明は、被験者の指に発光部１１の発する光を照射して、指で拡散された光又は指を透過した光を受光部１７で受光することによって指の血流に関する値を測定する血流センサ１であって、指の挿入が可能な孔６を有する基体に、前記発光部１１および前記受光部１７と、電力を供給する給電部とが配置されていることを特徴とした。【選択図】図１
2008079676.tif 000002
【特許請求の範囲】
【請求項１】
被験者の指に発光部の発する光を照射して、指で拡散された光又は指を透過した光を受光部で受光することによって指の血流に関する情報を測定する血流センサであって、指の挿入が可能な孔を有する基体に、前記発光部および前記受光部と、電力を供給する給電部とが配置されていることを特徴とする血流センサ。
【請求項２】
前記基体は、立体回路基板を有し、前記立体回路基板は、樹脂成形体に所定の回路パターンが形成され、前記樹脂成形体に前記発光部および前記受光部、給電部を実装して構成されることを特徴とする請求項１に記載の血流センサ。
【請求項３】
前記孔を構成する内壁に前記発光部と前記受光部とを対向させて配置されていることを特徴とする請求項１又は２に記載の血流センサ。
【請求項４】
前記基体には無線発信機が配置され、前記無線発信機によって前記受光部で検知された光に関する情報が血流に関する情報を算出する情報処理装置に送信されることを特徴とする請求項１〜３のいずれか一項に記載の血流センサ。
【請求項５】
前記孔を構成する内壁に指の挿入を検知するセンサが配置され、前記センサによって指の挿入が検知されることを条件に起動されることを特徴とする請求項１〜４のいずれか一項に記載の血流センサ。
【請求項６】
前記給電部が、コンデンサ回路と、充電器と非接触でコンデンサ回路への充電を行う給電回路とを備えることを特徴とする請求項１〜５のいずれか一項に記載の血流センサ。
【発明の詳細な説明】
【技術分野】
【０００１】
本発明は、循環系の障害等を検査する血流測定装置に用いられる血流センサに関するものである。
【背景技術】
【０００２】
従来から、循環系の障害等を検査するために用いる血流測定装置では、ＬＥＤ（発光ダイオード）等の発光部と、フォトトランジスタ等の受光部とを備えた血流センサが利用されている。前記血流センサは、被験者の体の一部に装着され、発光部の光を体の一部に照射し、体の一部を透過した光あるいは体の一部によって拡散された光を受光部で受光して、受光量の変化を血流の変化として検出するものである。
【０００３】
例えば、特許文献１では、ジョギングやマラソン中の脈拍数等を計測することができ、ランニングを妨げない程度の大きさの血流センサを備えた腕装着型脈波計測装置が開示されている。
【特許文献１】特開平８−２６６４９３号公報
【発明の開示】
【発明が解決しようとする課題】
【０００４】
しかし、従来の血流センサは、発光部や受光部を備えた部材と給電部とが別個の部材で構成されており、これらの部材をそれぞれ別個に被験者に装着する必要があった。また、各部材間を電気的に接続する接続部材が別途必要であり、煩わしかった。例えば特許文献１に記載されている血流センサは、情報処理装置として機能する腕時計とケーブルで接続されており、前記腕時計に内蔵された電池から前記ケーブルを介して電力の供給を受けている。そのため、血流センサを単独で装着しただけでは血流を測定することができず、血流を測定するのに腕時計を装着しなければならなかった。
【０００５】
また、体の一部を透過した光を受光して血流の変化を検出する方式の血流センサについては、ベルト等の固定具によって発光部と受光部とを対向させて指等の体に装着していた。そのため、発光部と受光部との相対的な位置関係を一定に保つことが困難であり、安定した測定精度を確保することができなかった。そこで本発明は、上記問題点を鑑み、小型で測定精度の高い血流センサを提供することを課題とする。
【課題を解決するための手段】
【０００６】
上記課題を解決するため、請求項１の発明では、被験者の指に発光部の発する光を照射して、指で拡散された光又は指を透過した光を受光部で受光することによって指の血流に関する情報を測定する血流センサであって、指の挿入が可能な孔を有する基体に、前記発光部および前記受光部と、電力を供給する給電部とが配置されていることを特徴とした。      
【０００７】
これにより、血流センサを構成する発光部や受光部、給電部等の構成要素が一部材に配置されるため、従来の血流センサのように複数の部材を被験者に装着する必要がない。また、各部材間を電気的に接続する接続部材が不要であるため、血流センサを構成する部品点数を削減して血流センサの小型化を図ることができる。
【０００８】
上記請求項１に記載の血流センサは、前記基体は、立体回路基板を有し、前記立体回路基板は、樹脂成形体に所定の回路パターンが形成され、前記樹脂成形体に前記発光部および前記受光部、給電部を実装して構成されるものであってもよい（請求項２）。
【０００９】
請求項３の発明では、請求項１又は２の発明において、前記孔を構成する内壁に前記発光部と前記受光部とを対向させて配置されていることを特徴とした。これにより、発光部と受光部との相対的な位置関係を固定することができる。そのため、請求項３の発明に係る血流センサは、従来の血流センサのように発光部と受光部と相対的な位置関係が変化することがなく、安定した測定精度を確保することができる。
【００１０】
請求項４の発明では、請求項１〜３のいずれかの一項の発明において、前記基体には無線発信機が配置され、前記無線発信機によって前記受光部で検知された光に関する情報が血流に関する情報を算出する情報処理装置に送信されることを特徴とした。これにより、血流センサと情報処理装置とを物理的に分離することができ、被験者は血流センサのみを装着することにより血流に関する情報を測定することが可能である。そのため、請求項４の発明に係る血流センサは、従来の血流センサのように複数の部材を被験者に装着させる煩わしさがなく装着が容易である。
【００１１】
請求項５の発明では、請求項１〜４のいずれか一項に記載の発明において、前記孔を構成する内壁に指の挿入を検知するセンサが配置され、前記センサによって指の挿入が検知されることを条件に起動されることを特徴とした。これにより、血流センサの孔に指を挿入させて、血流センサを起動させることができる。その結果、スイッチの入れ忘れを防止することができるため測定を怠るおそれがない。また、指から血流センサを外すとセンサによって指の挿入が検知されないため、血流センサは停止する。その結果、スイッチの切り忘れを防止することもできるため、電力の消費を抑えることができる。
【００１２】
請求項６の発明では、請求項１〜５のいずれか一項に記載の発明において、前記給電部が、コンデンサ回路と、充電器と非接触でコンデンサ回路への充電を行う給電回路とを備えることを特徴とした。このため、請求項６の発明に係る血流センサは、従来の血流センサのように、電池を収容する電池ホルダを設ける必要がないので、血流センサのサイズをより小型にすることができる。また、血流センサの外観を突起等のないシンプルなものにすることができるので、血流センサの美感を向上させることができる。
【発明の効果】
【００１３】
本発明によれば、小型で測定精度の高い血流センサを提供することができる。
【発明を実施するための最良の形態】
【００１４】
（第一実施形態）
続いて、本発明の第一実施形態である血流センサ１について図面を参照しながら詳細に説明する。なお、以下の説明では、特に断りのない限り上下の位置関係については、図示するような通常の設置状態を基準とし、左右の位置関係については、血流センサ１に指が挿入される方向を基準とする。
【００１５】
図１は、第一実施形態に係る血流センサ１の使用状態を示す説明図であり、図２（ａ）は、本実施形態に係る血流センサ１の平面図であり、図２（ｂ）は、本実施形態に係る血流センサ１の正面図であり、図２（ｃ）本実施形態に係る血流センサ１の側面図であり、図３（ａ）は、本実施形態に係る血流センサ１のＡ−Ａ断面図であり、図３（ｂ）は、本実施形態に係る血流センサ１のＢ−Ｂ断面図であり、図３（ｃ）は、本実施形態に係る血流センサ１のＣ−Ｃ断面図であり、図３（ｄ）は、本実施形態に係る血流センサ１のＤ−Ｄ断面図である。
【００１６】
血流センサ１は、循環系の障害等を検査するために使用されるものであり、図１に示すように、被験者の指に装着させて光学的に血流の変化を測定するものである。このため、図２に示すように、血流センサ１の中央には指を挿入して装着するための挿入孔４が設けられている。血流センサ１によって測定された血流に関する情報は、図示しないＰＤＡ（Ｐｅｒｓｏｎａｌ  Ｄｉｇｉｔａｌ  Ａｓｓｉｓｔａｎｔｓ）等の情報処理装置に無線通信で送信され、ＰＤＡでは所定の解析ソフトを用いて血流量や加速度脈波等の血流に関する情報が算出される。
【００１７】
本実施形態に係る血流センサ１は、図３に示すように、発光部１１、受光部１７、電池ホルダ２２、無線発信機２３、起動用超音波センサ２５、制御用ＩＣ２６（Ｉｎｔｅｇｒａｔｅｄ  Ｃｉｒｃｕｉｔ）を備えた立体回路基板３をハウジング８に収めて構成されている。本実施形態に係る立体回路基板３は、樹脂成形体９に所定の回路パターンが形成され、前記樹脂成形体９に発光部１１および受光部１７、電池ホルダ２２を実装して構成される。樹脂成形体９は、ガラス繊維が１０〜４０％程度配合されたＰＥＥＫ（ｐｏｌｙｅｔｈｅｒｅｔｈｅｒｋｅｔｏｎｅ）樹脂によって形成され、ガラス繊維は３０％程度配合されていることが望ましい。
【００１８】
樹脂成形体９は、図３（ｂ）に示すように、指に装着される装着部５と、電源である電池（図示せず）が収容される電池収容部１０とに大別される。装着部５は、指輪のように環状に形成されており、中央に指の挿入が可能な孔６を有する。電池収容部１０は、箱体であり、その上面にはボタン電池の大きさに対応した穴が電池ホルダ２２として設けられている。本実施形態では、ＲＬ４１型ボタン電池に対応した大きさの穴が設けられている。
【００１９】
本実施形態に係る電池収容部１０には電池ホルダ２２が２つ設けられており、図６（ａ）に示すように、２つの電池ホルダ２２に収納されたボタン電池を直列に接続させる電池ホルダ回路２７（給電部）が樹脂成形体９の電池収納部１０に配置されている。また、前記電池ホルダ２２の上部には、電池が抜け落ちるのを防止するために蓋１５がそれぞれ嵌め込まれる。また電池収容部１０の下面は装着部５の外周部と一体となるように形成されている。
【００２０】
発光部１１には、ＬＥＤ（発光ダイオード：Ｌｉｇｈｔ  Ｅｍｉｔｔｉｎｇ  Ｄｉｏｄｅ）が用いられ、本実施形態に係る血流センサ１は、ピーク波長が８５０ｎｍの近赤外線ＬＥＤ１２とピーク波長が６４４ｎｍの赤色ＬＥＤ１３とを備えている。また、受光部１７には、フォトダイオードが用いられ、本実施形態に係る血流センサ１は、近赤外線を検出することができる近赤外線用フォトダイオード１８と可視光線を検出することができる可視光線用フォトダイオード１９とを備えている。
【００２１】
発光部１１および受光部１７は、図３（ｂ）に示すように、樹脂成形体９の装着部５にある孔６を構成する内壁７に互いに対向するように配置されており、本実施形態に係る血流センサ１では、発光部１１および受光部１７は、装着部５の孔６の中央に対して点対称となる位置にある。そして、近赤外線ＬＥＤ１２と近赤外線用フォトダイオード１８とが互いに対向しており、赤色ＬＥＤ１３と可視光線用フォトダイオード１９とが互いに対向している。
【００２２】
発光部１１を構成する近赤外線ＬＥＤ１２および赤色ＬＥＤ１３は並んで配置されており、これに対応して近赤外線用フォトダイオード１８および可視光線用フォトダイオード１９も並んで配置されている。起動用超音波センサ２５は、送波器から超音波を発して受波器でその反射波を受信することにより対象物を検知するものであり、発光部１１や受信部１７と同様に、装着部５の孔６を構成する内壁７に配置されている。
【００２３】
図２（ａ）に示すように、樹脂成形体９の電池収容部１０上面の２つの電池ホルダ２２に挟まれた位置には、受光部１７によって受光された光に関する情報をＰＤＡに送信するための無線発信機２３が配置されており、電池収容部１０の左右両側面には、血流センサ１の動作を制御するための制御用ＩＣ２６が配置されている。
【００２４】
図４は、本実施形態に係る立体回路基板３の六面図であり、図５〜図７は、本実施形態に係る立体回路基板３の断面図である。立体回路基板３を構成する樹脂成形体９の表面には、例えば図４〜図７に示すような回路パターンが形成されており、前記樹脂成形体９に実装された発光部１１および受光部１７、無線発信機２３、起動用超音波センサ２５、電池ホルダ回路２７のそれぞれを制御用ＩＣ２６と接続している。そして、立体回路基板３は、樹脂製のハウジング８によって全体が覆われており、ハウジング８の発光部１１および受光部１７と対応する位置には光の透過が可能な透明部材が配置されている。
【００２５】
本実施形態に係る血流センサ１は、血流センサ１を構成する発光部１１等の各構成要素が一つの立体回路基板３に配置されている。そのため、血流センサ１を構成する発光部１１や受光部１７等の構成要素が一部材に配置されるため、従来の血流センサのように複数の部材を被験者に装着する必要がない。また、各部材間を接続する接続部材が不要であるため、血流センサを構成する部品点数を削減して小型化を図ることができる。
【００２６】
また、本実施形態に係る血流センサ１は、立体回路基板３の孔６の内壁７に発光部１１および受光部１７が配置されており、発光部１１と受光部１７との相対的な位置関係が固定されている。そのため、本実施形態に係る血流センサ１は、従来の血流センサのように発光部１１と受光部１７との相対的な位置関係が変化することがなく、安定した測定精度を確保することができる。さらに、従来の血流センサのように、発光部１１および受光部１７をバンド等で固定するといった手間がかからず、図１に示すように、血流センサ１の挿入孔４に指を挿入させるだけで、簡単に血流センサ１を被験者に装着させることができる。
【００２７】
さらに、本実施形態に係る立体回路基板３には、無線発信機２３が実装されている。このため、受光部１７で受光された光に関する情報を無線発信機２３によってＰＤＡ等の情報処理装置に送信することができる。その結果、血流センサ１と情報処理装置とを物理的に分離することができ、被験者は血流センサ１のみを装着することによって血流に関する情報を測定することが可能であり、本実施形態に係る血流センサ１は、従来の血流センサのように複数の部材を被験者に装着させる煩わしさがない。
【００２８】
上記実施形態に係る血流センサ１では、指の挿入を検知して血流センサ１を起動させるのに超音波センサが用いられたが、超音波センサの代わりに熱や圧力を検知するセンサを用いてもよい。また、上記実施形態に係る血流センサ１は、立体回路基板３の装着部５にある孔６に起動用超音波センサ２５を配置して、前記孔６に被験者の指が挿入されると血流センサ１が起動する構成であったが、本発明はこのような構成に限られるわけではない。例えば、図８〜図１３に示すように、立体回路基板３の電池収容部１０の上面に熱や圧力等を検知可能な起動用センサスイッチ３０を配置して、血流センサ１が被験者の指に装着された後に、前記起動用センサスイッチ３０を指で触れる等して血流センサ１を起動させる構成としてもよい。
【００２９】
（第二実施形態）
次に、第二実施形態について説明する。なお、本実施形態では、第一実施形態と同一部分については同一符号を付して詳しい説明を省略し、異なる部分についてのみ説明する。図１４（ａ）は、本実施形態に係る血流センサ３１の平面図であり、図１４（ｂ）は、本実施形態に係る血流センサ３１の正面図であり、図１４（ｃ）本実施形態に係る血流センサ３１の側面図であり、図１５（ａ）は、本実施形態に係る血流センサ３１のＡ−Ａ断面図であり、図１５（ｂ）は、本実施形態に係る血流センサ３１のＢ−Ｂ断面図であり、図１５（ｃ）は、本実施形態に係る血流センサ３１のＣ−Ｃ断面図であり、図１５（ｄ）は、本実施形態に係る血流センサ３１のＤ−Ｄ断面図である。
【００３０】
本実施形態に係る立体回路基板３３を構成する樹脂成形体４０は、図１５（ｂ）に示すように、中央に指の挿入が可能な孔３４を有する環状であり、指輪のような形状である。樹脂成形体４０の外周部分の一部には、図１９（ａ）に示すように、銅箔３７が外周に沿って設置されている。そして、図１９（ｂ）に示すように、前記銅箔３７上に誘電体をスクリーン印刷することにより誘電体膜３８が形成され、図１９（ｃ）に示すように、誘電体膜３８上に電解銅鍍金を施すことにより銅膜３９が形成されて、樹脂成形体４０の外周部の一部にコンデンサ回路３６が形成されている。
【００３１】
樹脂成形体４０の外周部には、図１４（ａ）や図１５（ｂ）に示すように、コンデンサ回路３６以外に、金属部等の接点を持たずに充電器（図示せず）と非接触でコンデンサ回路３６への充電を行う給電回路４１が配置されており、給電回路４１に挟まれた位置には無線発信機２３が配置されている。樹脂成形体４０の孔３４を構成する内壁３５には、図１５に示すように、第一実施形態に係る血流センサ１と同様に、発光部１１、受光部１７、起動用超音波センサ２５がそれぞれ配置されている。また、本実施形態に係る血流センサ３１においては、血流センサ３１の動作を制御するための制御用ＩＣ２６も樹脂成形体４０の内壁３５に配置されている。
【００３２】
そして、図１６〜図１８に示すように、コンデンサ回路３６と給電回路４１とを接続するための回路、および発光部１１、受光部１７、無線発信機２３、起動用超音波センサ２５、コンデンサ回路３６、給電回路４１のそれぞれを制御用ＩＣ２６と接続するための回路が樹脂成形体４０の表面には形成されている。給電回路４１を介して充電器により血流センサ３１のコンデンサ回路３６に対して充電が行われ、血流センサ３１が作動するための電力は前記コンデンサ回路３６から供給される。
【００３３】
そして、第一実施形態に係る血流センサ１と同様に、血流センサ３１の挿入孔４に被験者の指が挿入されると、立体回路基板３３に実装された起動用超音波センサ２５によって指の挿入が検知され、血流センサ３１が起動する。そして、血流センサ３１は、発光部１１を発光させて光を指に照射させて、指を透過した光を受光部１７が受光する。受光部１７で受光された受光量の変化に関する情報は、無線発信機２３によってＰＤＡに送信され、ＰＤＡでは所定の解析ソフトを用いて血流量や加速度脈波等が算出される。
【００３４】
本実施形態に係る血流センサ３１は、樹脂成形体４０に形成されたコンデンサ回路３６に蓄電された電力によって作動させることができるため、電池を収容するための電池ホルダを樹脂成形体４０に設ける必要がない。このため、血流センサ３１を小型化することができ、血流センサ３１の外観を突起等のないシンプルなものにすることができる。
【００３５】
第一実施形態および第二実施形態に係る血流センサ１，３１では、受光部１７で測定された光に関する情報が無線発信機２３によってＰＤＡ等の情報処理装置へと送信される構成とされたが、情報の送信手段としてケーブル等の有線により情報を送信させてもよい。また、第一実施形態および第二実施形態に係る血流センサ１，３１はともに、一つの立体回路基板３，３３を基体として構成したが本発明はこのような構成に限られるわけではない。例えば、発光部１１を除く全ての構成要素を一つの基板に実装し、発光部１１を取り付けた別部材と前記基板とを接合して血流センサを構成してもよい。この場合、基板に実装される構成要素および別部材に取り付けられる構成要素の組み合わせに制限があるわけではない。
【図面の簡単な説明】
【００３６】
【図１】第一実施形態に係る血流センサの使用状態を示す説明図である。
【図２】（ａ）は、第一実施形態に係る血流センサの平面図であり、（ｂ）は、第一実施形態に係る血流センサの正面図であり、（ｃ）第一実施形態に係る血流センサの側面図である。
【図３】（ａ）は、第一実施形態に係る血流センサのＡ−Ａ断面図であり、（ｂ）は、第一実施形態に係る血流センサのＢ−Ｂ断面図であり、（ｃ）は、第一実施形態に係る血流センサのＣ−Ｃ断面図であり、（ｄ）は、第一実施形態に係る血流センサのＤ−Ｄ断面図である。
【図４】（ａ）は、第一実施形態に係る立体回路基板の平面図であり、（ｂ）は、第一実施形態に係る立体回路基板の左側面図であり、（ｃ）は、第一実施形態に係る立体回路基板の正面図であり、（ｄ）は、第一実施形態に係る立体回路基板の右側面図であり、（ｅ）は、第一実施形態に係る立体回路基板の背面図である。
【図５】（ａ）は、第一実施形態に係る立体回路基板のＡ−Ａ断面図であり、（ｂ）は、第一実施形態に係る立体回路基板のＢ−Ｂ断面図である。
【図６】（ａ）は、第一実施形態に係る立体回路基板のＣ−Ｃ断面図であり、（ｂ）は、第一実施形態に係る立体回路基板のＤ−Ｄ断面図である。
【図７】（ａ）は、第一実施形態に係る立体回路基板のＥ−Ｅ断面図であり、（ｂ）は、第一実施形態に係る立体回路基板のＦ−Ｆ断面図である。
【図８】（ａ）は、第一実施形態の変形例に係る血流センサの平面図であり、（ｂ）は、第一実施形態の変形例に係る血流センサの正面図であり、（ｃ）第一実施形態の変形例に係る血流センサの側面図である。
【図９】（ａ）は、第一実施形態の変形例に係る血流センサのＡ−Ａ断面図であり、（ｂ）は、第一実施形態の変形例に係る血流センサのＢ−Ｂ断面図であり、（ｃ）は、第一実施形態の変形例に係る血流センサのＣ−Ｃ断面図であり、（ｄ）は、第一実施形態の変形例に係る血流センサのＤ−Ｄ断面図である。
【図１０】（ａ）は、第一実施形態の変形例に係る立体回路基板の平面図であり、（ｂ）は、第一実施形態の変形例に係る立体回路基板の左側面図であり、（ｃ）は、第一実施形態の変形例に係る立体回路基板の正面図であり、（ｄ）は、第一実施形態の変形例に係る立体回路基板の右側面図であり、（ｅ）は、第一実施形態の変形例に係る立体回路基板の背面図である。
【図１１】（ａ）は、第一実施形態の変形例に係る立体回路基板のＡ−Ａ断面図であり、（ｂ）は、第一実施形態の変形例に係る立体回路基板のＢ−Ｂ断面図である。
【図１２】（ａ）は、第一実施形態の変形例に係る立体回路基板のＣ−Ｃ断面図であり、（ｂ）は、第一実施形態の変形例に係る立体回路基板のＤ−Ｄ断面図である。
【図１３】（ａ）は、第一実施形態の変形例に係る立体回路基板のＥ−Ｅ断面図であり、（ｂ）は、第一実施形態の変形例に係る立体回路基板のＦ−Ｆ断面図である。
【図１４】（ａ）は、第二実施形態に係る血流センサの平面図であり、（ｂ）は、第二実施形態に係る血流センサの正面図であり、（ｃ）第二実施形態に係る血流センサの側面図である。
【図１５】（ａ）は、第二実施形態に係る血流センサのＡ−Ａ断面図であり、（ｂ）は、第二実施形態に係る血流センサのＢ−Ｂ断面図であり、（ｃ）は、第二実施形態に係る血流センサのＣ−Ｃ断面図であり、（ｄ）は、第二実施形態に係る血流センサのＤ−Ｄ断面図である。
【図１６】（ａ）は、第二実施形態に係る立体回路基板の平面図であり、（ｂ）は、第二実施形態に係る立体回路基板の左側面図であり、（ｃ）は、第二実施形態に係る立体回路基板の正面図であり、（ｄ）は、第二実施形態に係る立体回路基板の右側面図であり、（ｅ）は、第二実施形態に係る立体回路基板の背面図である。
【図１７】（ａ）は、第二実施形態に係る立体回路基板のＡ−Ａ断面図であり、（ｂ）は、第二実施形態に係る立体回路基板のＢ−Ｂ断面図であり、（ｃ）は、第二実施形態に係る立体回路基板のＣ−Ｃ断面図であり、（ｄ）は、第二実施形態に係る立体回路基板のＤ−Ｄ断面図である。
【図１８】第二実施形態に係る立体回路基板のＥ−Ｅ断面図である。
【図１９】コンデンサ回路の製造工程を示す説明図である。
【符号の説明】
【００３７】
１，３１  血流センサ
３，３３  立体回路基板
６        孔
７        内壁
９        樹脂成形体
１１      発光部
１７      受光部
２３      無線発信機
２５      起動用超音波センサ
２７      電池ホルダ回路
３６      コンデンサ回路
４１      給電回路
【図１】
2008079676.tif 000003
【図２】
2008079676.tif 000004
【図３】
2008079676.tif 000005
【図４】
2008079676.tif 000006
【図５】
2008079676.tif 000007
【図６】
2008079676.tif 000008
【図７】
2008079676.tif 000009
【図８】
2008079676.tif 000010
【図９】
2008079676.tif 000011
【図１０】
2008079676.tif 000012
【図１１】
2008079676.tif 000013
【図１２】
2008079676.tif 000014
【図１３】
2008079676.tif 000015
【図１４】
2008079676.tif 000016
【図１５】
2008079676.tif 000017
【図１６】
2008079676.tif 000018
【図１７】
2008079676.tif 000019
【図１８】
2008079676.tif 000020
【図１９】
2008079676.tif 000021